(57)【要約】【課題】  作業性を向上させることができ、接触信頼性が高く、しかも低挿入力で嵌合できること。【解決手段】  ハウジング１１を有するコネクタ１１及び相手ハウジング５３を有する相手コネクタ５１同士を接続する際に、レバー部材４１の第１カム部４３ａと前記ハウジング１１の第１被カム部２５ａ、２５ｂ、及び前記レバー部材４１の第２カム部４３ｂと、前記相手ハウジング５３の第２被カム部５７とが協働して前記レバー部材４１が回転することにより前記コネクタ１１及び前記相手コネクタ５１同士が接続する。【選択図】図１
2006344431.tif 000002
【特許請求の範囲】
【請求項１】
コネクタと、該コネクタに接続する相手コネクタとを含むコネクタ装置において、
前記コネクタは、ベース部材と、嵌合方向及び該嵌合方向とは逆向きの離脱方向で移動可能に前記ベース部材に摺動自在に保持されるハウジングと、前記ベース部材及び前記ハウジングを連結しているレバー部材とを有し、
前記レバー部材は、前記ハウジングに係合する第１カム部と、前記相手コネクタに係合する第２カム部と、前記ベース部材に回動自在に軸支される軸部とを有し、
前記ハウジングは、前記第１カム部と係合する第１被カム部を有し、
前記相手コネクタは相手ハウジングを有し、該相手ハウジングは、前記レバー部材の前記第２カム部と係合する第２被カム部を有し、
前記コネクタ及び前記相手コネクタ同士を接続する際に、前記レバー部材の前記第１カム部と前記ハウジングの前記第１被カム部及び前記レバー部材の前記第２カム部と、前記相手ハウジングの前記第２被カム部とが協働して、前記レバー部材が回転することにより前記コネクタ及び前記相手コネクタ同士が接続することを特徴とするコネクタ装置。
【請求項２】
請求項１記載のコネクタ装置において、前記ベース部材はフレーム部と、該フレーム部に接続したベース部とを有し、前記フレーム部は、前記嵌合方向及び前記離脱方向へ延びており、前記フレーム部には前記嵌合方向へ延びて前記ハウジングを位置決めする第１位置決めバネ部と、前記ハウジングの中間部分から先端側へ延びている第２位置決めバネ部とが形成されており、前記第１位置決めバネ部の中間部分には前記第１位置決めバネ部上へ突出している第１係合部が形成されており、前記第２位置決めバネ部の中間部分には前記第２位置決めバネ部上へ突出している第２係合部が形成されていることを特徴とするコネクタ装置。
【請求項３】
請求項１記載のコネクタ装置において、前記ベース部は、前記ハウジングに形成した貫通穴に収容されるロックバー部と、軸部を形成した軸受板部とを有していることを特徴とするコネクタ装置。
【請求項４】
請求項３記載のコネクタ装置において、前記相手ハウジングは、前記コネクタに嵌合する相手嵌合部と、前記ハウジングの前記貫通穴の壁面によって押されて前記嵌合方向へ移動中に撓み変位した状態で移動して前記ハウジングにロックするロックバネ部とを有し、前記貫通穴の前記壁面は凹部を有し、前記ロックバネ部は前記凹部に係合する突部を有することを特徴とするコネクタ装置。
【請求項５】
請求項３記載のコネクタ装置において、前記レバー部材は、前記第１カム部を形成した第１レバー板部と、該第１レバー板部の一端側に形成されている第２レバー板部とを有し、前記第２カム部は前記第１レバー板部の他側において前記第１レバー板部の一面上へ突き出しており、前記第２レバー板部には前記ベース部材に回動自在に前記軸部が軸支されていることを特徴とするコネクタ装置。
【請求項６】
請求項１記載のコネクタ装置において、前記第２被カム部は、上板部と、該上板部に対向している下板部とを有し、少なくとも前記上板部及び下板部の一方には、前記第２カム部と係合して干渉するように前記第２被カム部が溝形状に形成されていることを特徴とするコネクタ装置。
【発明の詳細な説明】
【技術分野】
【０００１】
本発明は、コネクタと相手コネクタとを嵌合して接続するコネクタ装置に関する。
【背景技術】
【０００２】
従来技術としては、互いに嵌合して接続端面が対向する雌コネクタのハウジングと雄コネクタのハウジングとを結合させるためのコネクタ結合構造が知られている。
【０００３】
コネクタ結合構造は、雄コネクタのハウジングにフレームとレバーと押込係合部とが設けられている。フレームは、雄コネクタのハウジングに対し嵌合方向へ相対移動可能となっている。レバーは一端がフレームに回転自在に支持されている。レバーの他端は、雄コネクタのハウジングの接続端面前方へ斜めに突き出している。押込係合部は、レバーの中間部でレバーの前側に係合し、雌コネクタのハウジングにレバーの貫通穴を設けている。
【０００４】
【特許文献１】特開平１１−１０２７４８号公報
【発明の開示】
【発明が解決しようとする課題】
【０００５】
特許文献１のコネクタ結合構造は、嵌合前のレバー及びフレーム側の雄コネクタの位置決め機構がないので、レバーが雄コネクタのハウジングの接続端面から突出しており、さらに、嵌合後において雌コネクタのハウジングの貫通穴からレバーが突出しているため、雌雄コネクタを組み立てる時、雌雄コネクタを嵌合する時、及び雌雄コネクタを嵌合した後において、レバーが破壊される恐れがあるという問題がある。
【０００６】
それ故に、コネクタ組立て時、嵌合時の作業性を向上させることができ、さらに、コネクタと相手コネクタとを嵌合した後の嵌合ロック及びフローティング機構を付加することでコンタクトと相手コンタクトとの接触信頼性が高く、しかも低挿入力で嵌合できるコネクタ装置を提供することにある。
【課題を解決するための手段】
【０００７】
本発明は、コネクタと、該コネクタに接続する相手コネクタとを含むコネクタ装置において、前記コネクタは、ベース部材と、嵌合方向及び該嵌合方向とは逆向きの離脱方向で移動可能に前記ベース部材に摺動自在に保持されるハウジングと、前記ベース部材及び前記ハウジングを連結しているレバー部材とを有し、前記レバー部材は、前記ハウジングに係合する第１カム部と、前記相手コネクタに係合する第２カム部と、前記ベース部材に回動自在に軸支される軸部とを有し、前記ハウジングは、前記第１カム部と係合する第１被カム部を有し、前記相手コネクタは相手ハウジングを有し、該相手ハウジングは、前記レバー部材の前記第２カム部と係合する第２被カム部を有し、前記コネクタ及び前記相手コネクタ同士を接続する際に、前記レバー部材の前記第１カム部と前記ハウジングの前記第１被カム部及び前記レバー部材の前記第２カム部と、前記相手ハウジングの前記第２被カム部とが協働して、前記レバー部材が回転することにより前記コネクタ及び前記相手コネクタ同士が接続することを特徴とするコネクタ装置であることを最も主要な特徴とする。
【発明の効果】
【０００８】
本発明のコネクタ装置によれば、コネクタ及び相手コネクタ同士を嵌合して接続する際に、レバー部材の第１カム部とハウジングの第１被カム部及びレバー部材の第２カム部と、相手ハウジングの第２被カム部とが協働して、レバー部材が回転することによりコネクタ及び相手コネクタ同士が接続するので、レバー部材の外力による影響を受け難い構造となり、コネクタを組み立てる時の作業性や、コネクタと相手コネクタとを嵌合する時の作業性を向上させることができる。
【０００９】
また、本発明のコネクタ装置によれば、コネクタと相手コネクタとが嵌合した後の嵌合ロック、及びフローティング機構を付加することにより、接触信頼性が高く、しかも嵌合時に低挿入力で嵌合できるという利点がある。
【発明を実施するための最良の形態】
【００１０】
本発明のコネクタ装置は、コネクタと、該コネクタに接続する相手コネクタとを含むコネクタ装置において、前記コネクタは、ベース部材と、嵌合方向及び該嵌合方向とは逆向きの離脱方向で移動可能に前記ベース部材に摺動自在に保持されるハウジングと、前記ベース部材及び前記ハウジングを連結しているレバー部材とを有し、前記レバー部材は、前記ハウジングに係合する第１カム部と、前記相手コネクタに係合する第２カム部と、前記ベース部材に回動自在に軸支される軸部とを有し、前記ハウジングは、前記第１カム部と係合する第１被カム部を有し、前記相手コネクタは相手ハウジングを有し、該相手ハウジングは、前記レバー部材の前記第２カム部と係合する第２被カム部を有し、前記コネクタ及び前記相手コネクタ同士を接続する際に、前記レバー部材の前記第１カム部と前記ハウジングの前記第１被カム部及び前記レバー部材の前記第２カム部と、前記相手ハウジングの前記第２被カム部とが協働して、前記レバー部材が回転することにより前記コネクタ及び前記相手コネクタ同士が接続することにより実現した。
【実施例１】
【００１１】
以下、図面を参照して、本発明のコネクタ装置の実施例１を説明する。図１は、コネクタ装置の実施例１を示しており、コネクタと、ユニットに実装した相手コネクタとの嵌合前の状態を示している。図２は、図１に示したコネクタと相手コネクタとが嵌合した後の状態を示している。
【００１２】
図１及び図２を参照して、コネクタ装置は、コネクタ１１と、コネクタ１１に接続する相手コネクタ５１とを有している。
【００１３】
コネクタ１１は、図１に矢印によって示した嵌合方向Ａ及び嵌合方向Ａとは逆向きの離脱方向Ｂで移動可能な絶縁性のハウジング２１と、ハウジング２１を嵌合方向Ａ及び離脱方向Ｂで摺動自在に保持している絶縁性のベース部材３１と、ベース部材２１及びハウジング３１を連結しているレバー部材４１とを有している。
【００１４】
ハウジング２１は、図３乃至図６にも示すように、樹脂材料を用いて成型加工を行うことにより略長板形状に作られている。ハウジング２１内には、複数の収容部２３ａ（図６を参照）が形成されている。複数の収容部２３ａには、複数本の導電性のコンタクト２５が一対一に組み込まれている。
【００１５】
ハウジング２１は、長手方向を直交する離脱方向Ｂ側に嵌合部２３ｂを有している。嵌合部２３ｂの嵌合面２３ｃには、収容部２３ａに連通している挿通穴２３ｄが形成されている。
【００１６】
さらに、図７乃至図１１をも参照して、ハウジング２１の嵌合面２３ｃを直交する上面２３ｆには、ハウジング２１の上面２３ｆから上面２３ｆ上へ突出している第１被カム部２５ａが設けられている。第１被カム部２５ａは、突起形状に形成されている。第１被カム部２５ａは、図１に示した一方のレバー部材４１を回動可能に軸支する部分である。
【００１７】
ハウジング２１の嵌合面２３ｃを直交する下面２３ｇには、ハウジング２１の下面２３ｇから下面２３ｇ上に突き出している第１被カム部２５ｂが設けられている。第１被カム部２５ｂは突起形状に形成されており、一方のレバー部材４１と同じ形状のレバー部材（図示せず）を回動可能に軸支する部分である。また、ハウジング２１には、第１被カム部２５ａ，２５ｂが互いに長手方向においてオフセットして位置している。
【００１８】
さらに、ハウジング２１の長手方向の両側かつ嵌合方向Ａ側で嵌合部２３ｂよりも後側には、一対のブロック部２７が形成されている。ブロック部２７は、嵌合方向Ａ側の端面が第１位置決め部２７ａとなっており、第１位置決め部２７ａから嵌合方向Ａへ延びている第２位置決め部２８が形成されている。第２位置決め部２８の自由端には、外向きに少し突き出している爪部２８ａが形成されている。
【００１９】
また、ブロック部２７には、嵌合方向Ａ側の端面と離脱方向側Ｂの端面との間に貫通穴２７ｇが形成されている。図１０に示すように、貫通穴２７ｇの内壁面２７ｊには、凹部２７ｍが形成されている。
【００２０】
コンタクト２５には、ハウジング２１の収容部２３ａにおいてケーブル６１が接続されている。ケーブル６１は、ハウジング２１の後端面２３ｙに形成されているケーブル挿通穴２３ｘから外へ導出されている。コンタクト２５は、相手コネクタ５１の相手コンタクト（図示せず）が挿通穴２３ｄから挿入されて接続するソケット部２５ａと、ハウジング２１に保持される保持部２５ｂと、ケーブル６１の芯線に接続する端子部２５ｃとを有している。
【００２１】
ベース部材３１は、図１２乃至１６に示すように、互いに平行な長板形状の一対のフレーム部３３と、一対のフレーム部３３の一端間を接続しているベース部３５とを有している。
【００２２】
一対のフレーム部３３は、嵌合・離脱方向Ａ、Ｂで互いに平行に対向しベース部３５から離脱方向Ｂへ延びている。フレーム部３３は長板形状を呈している。
【００２３】
一対のフレーム部３３は、互いに対向しているフレーム板部３３ａと、フレーム板部３３ａの長手方向を直交する両辺から立設するようにして互いに対向している一対の壁部３３ｃとを有している。
【００２４】
フレーム板部３３ａには、長手方向の先端の近傍から嵌合方向Ａへ延びている第１位置決めバネ部３５ａと、長手方向の中間部分から先端側へ延びている第２位置決めバネ部３６ａとが形成されている。第１位置決めバネ部３５ａの中間部分には、第１位置決めバネ部３５ａ上へ突き出している第１係合部３５ｂが形成されている。第２位置決めバネ部３６ａの中間部分には、第２位置決めバネ部３６ａ上へ突き出している第２係合部３６ｂが形成されている。フレーム部３３の嵌合方向Ａ側には、後述するモジュール９１（図６０を参照）との位置決めと固定とを行うための固定バネ部３７が形成されている。
【００２５】
ベース部３５の中間部分には、長手方向へ大きな窓部３５ｄが形成されている。窓部３５ｄには、ケーブル６１が挿通している。ベース部３５には、一対のフレーム部３３の近傍にかつベース部３５の内面から一対のフレーム部３３に対向するように延びている一対のロックバー部３８が形成されている。
【００２６】
ベース部３５には、一対のロックバー部３８間に軸受板部３９が形成されている。軸受板部３９のそれぞれには、軸部３９ａが形成されている。ハウジング２１は、ベース部材３１が持つ係止構造によって位置決めされている。
【００２７】
一対のロックバー部３８は、ハウジング２１の貫通穴２７ｇにそれぞれ収納する部分である。第１位置決めバネ部３５ａは、ハウジング２１を位置決めする部分である。ベース部材３１は、樹脂材を用いて成型加工を行うことによって作られており、図１２に示した平面で見ると略コ字形状の形態となっている。
【００２８】
レバー部材４１は、樹脂材または金属板によって作られており、図１７乃至図１９にも示すように、長板形状の第１レバー板部４３と、第１レバー板部４３の一端側に形成されている第２レバー板部４５とを有している。
【００２９】
第１レバー板部４３と第２レバー板部４５とは、互いに段差をもっている。第１レバー板部４３の中央部には、長手方向に長穴形状の第１カム部４３ａが形成されている。第１レバー板部４３の他側には、第１レバー板部４３の一面上へ突き出している第２カム部４３ｂが形成されている。第２レバー板部４５には、ベース部材３１に回動自在に軸支される丸穴形状の軸部４５ａが形成されている。
【００３０】
一方のレバー部材４１の第１カム部４３ａは、コネクタ１１の一方の第１被カム部２５ａに係合する部分である。他方のレバー部材４１の第１カム部４３ａは、コネクタ１１の他方の第１被カム部２５ｂに係合する部分である。
【００３１】
なお、本実施例では、コネクタ１１の表裏にそれぞれ１個、合計で２個のレバー部材４１をもつ構造である。即ち、コネクタ１１とベース部材３１とは、一つ以上のレバー部材４１によって連結されている。また、嵌合前の状態では、レバー部材４１がコネクタ１１の嵌合面２３ｃよりも外へ突き出していない。
【００３２】
相手コネクタ５１は、図１及び図２に示したユニット７１に実装されている。相手コネクタ５１は、図２０乃至図２３にも示すように、相手ハウジング５３を有している。相手ハウジング５３は、回路基板８１に固定さられている。相手ハウジング５３には、ピンコンタクトのような相手コンタクト５６が保持されている。
【００３３】
相手ハウジング５３は、図２４乃至図２６にも示すように、相手ハウジング５３の長手方向を直交する一側に形成されている相手嵌合部５５ａと、相手ハウジング５３の長手方向の両端側に形成されている一対のガイド部５７ｃと、相手ハウジング５３の上板部５５ｆと、この上板部５５ｆに対向している下板部５５ｇのそれぞれに形成されている溝形状の第２被カム部５７とを有している。
【００３４】
さらに、相手ハウジング５３は、相手嵌合部５５ａ内で相手ハウジング５３の長手方向の両側に設けられている一対のロックバネ部５８と、ユニット７１内の回路基板８１に実装する一対の固定部５９と、相手嵌合部５５ａに相手コンタクト５６を収容する相手収容部５５ｂとを有する。
【００３５】
相手嵌合部５５ａの相手嵌合壁部５５ｃには、相手コンタクト５６が挿入保持される相手挿入孔５５ｍが形成されている。一対の固定部５９間には、ロケータ６０が設けられている。
【００３６】
相手嵌合部５５ａは、コネクタ１１の嵌合部２３ｂに嵌合する。ガイド部５７ｃは、嵌合時にベース部材３１のフレーム部３３の内側へ入り込む。
【００３７】
第２被カム部５７は、上板部５５ｆ及び下板部５５ｇのそれぞれに長手方向でオフセットした状態に位置していおり、上板部５５ｆ及び下板部５５ｇの嵌合側の一辺から略Ｕ字状の溝を形成することによってレバー部材４１の第２カム部４３ｂと係合して干渉する干渉溝としている。第２被カム部５７には、上板部５５ｆ及び下板部５５ｇの板厚部分としての側壁面５５ｒ，５５ｓを有する。
【００３８】
ロックバネ部５８は、相手ハウジング５３の後壁部５５ｘから相手嵌合部５５ａへ延びている。ロックバネ部５８の先端には、突部５８ａが形成されている。一対の突部５８ａは、嵌合時にハウジング２１の凹部２７ｍに嵌る。ユニット７１内の回路基板８１に実装するためにネジによって固定するネジ穴５９ａが形成されている。
【００３９】
相手コンタクト５６は、相手嵌合部５５ａに位置している相手接触部５６ａと、相手ハウジング５３の後壁部５５ｘに保持されている相手保持部５６ｂと、相手保持部５６ｂから外へ延びている相手端子部５６ｃとを有している。
【００４０】
ロケータ６０は、複数本の相手コンタクト５６の相手端子部５６ｃを整列して回路基板８１のスルーホールへ相手端子部５６ｃを挿入する役目を果たす。相手端子部５６ｃは、回路基板８１と半田によって接続される。
【００４１】
コネクタ１１及び相手コネクタ５１同士を接続する際には、レバー部材４１の第１カム部４３ａとコネクタ１１の第１被カム部２５ａ，２５ｂ、及びレバー部材４１の第２カム部４３ｂと、相手ハウジング５３の第２被カム部５７とが協働して、レバー部材４１が回転することによりコネクタ１１及び相手コネクタ５１同士が接続する。
【００４２】
以下、図２７乃至図５９を参照して、コネクタ１１と相手コネクタ５１との嵌合過程を説明する。
【００４３】
図２７乃至図３０は、コネクタ１１と相手コネクタ５１とが嵌合する前の状態を示している。図２７乃至図３０に示した状態では、ハウジング２１がベース部材３１の一対のフレーム部３３間に嵌合方向Ａで挿入されることによってベース部材３１と一体に固定される。
【００４４】
ハウジング２１の第１位置決め部２７ｄは、ベース部材３１の第１位置決めバネ部３５ａの第１係合部３５ｂに係合する。ハウジング２１の第２位置決め部２８の爪部２８ａは、ベース部材３１の第２位置決めバネ部３６ａの第２係合部３６ｂに係合する。なお、図２７乃至図３０に示した状態においては、ベース部材３１の一対のロックバー部３８は、ハウジング２１の貫通穴２７ｇに挿入されていない。
【００４５】
図３１乃至図３４は、コネクタ１１と相手コネクタ５１との嵌合を開始した状態を示している。図３１乃至図３４に示した状態では、相手ハウジング５３のガイド部５７ｃがベース部材３１の一対のフレーム部３３間に少し入り込んだ状態で相手コネクタ５１が挿入される。
【００４６】
嵌合開始時には、相手ハウジング５３のロックバネ部５８の突部５８ａがハウジング２１の貫通穴２７ｇの壁面２７jによって押され、嵌合方向Ａへ移動中に撓み変位した状態で移動する。この際、レバー部材４１の第２カム部４３ｂ側の円弧辺４１ｆが相手ハウジング５３の第２被カム部５７の入口に形成されている傾斜壁面５５ｔの近傍へ移動している。
【００４７】
図３５乃至図３９は、さらにコネクタ１１と相手コネクタ５１との嵌合途中の状態を示している。図３５乃至図３９に示した状態では、相手ハウジング５３のガイド部５７ｃによってベース部材３１の第２位置決めバネ部３６ａを外向きに押すことによって変位させている。このとき、ハウジング２１は嵌合方向Ａへ移動が可能となると同時に、レバー部材４１もベース部材３１の軸部３９ａを中心に回転可能となる。
【００４８】
この状態では、レバー部材４１の第２カム部４３ｂ側の円弧辺４１ｆが相手ハウジング５３の第２被カム部５７の側壁面５５ｒの奥側の近傍にまで移動することにより、第２被カム部５７の奥側の側壁面５５ｒ，５５ｓ間へ第２カム部４３ｂが入り込む。
【００４９】
図４０乃至図４３は、さらにコネクタ１１と相手コネクタ５１との嵌合途中の状態を示している。図４０乃至図４３に示した状態では、相手コネクタ５１をコネクタ１１へ嵌合方向Ａで移動させることによってレバー部材４１の第２カム部４３ｂが相手ハウジング５３の第２被カム部５７の側壁面５５ｒ，５５ｓ間において側壁面５５ｒ，５５ｓに干渉し始める状態を示している。
【００５０】
図４４乃至図４７は、さらにコネクタ１１と相手コネクタ５１との嵌合途中の状態を示している。図４４乃至図４７に示した状態では、ハウジング２１の移動とレバー部材４１の回転が進み、図４５に示したように、コンタクト２５と相手コンタクト５６とが接触を開始する状態を示している。
【００５１】
図４８乃至図５１は、さらにコネクタ１１と相手コネクタ５１との嵌合途中の状態を示している。図４８乃至図５１に示した状態では、ハウジング２１の移動とレバー部材４１の回転がさらに進み、コンタクト２５と相手コンタクト５６とが接触を完了した状態を示している。この際、相手ハウジング５３のロックバネ部５８は、ハウジング２１の貫通穴２７ｇに挿入されて、ロックバネ部５８の突部５８ａがハウジング２１の凹部２７ｍに係合する。相手ハウジング５３のロックバネ部５８の突部５８ａは、嵌合が終了すると同時にハウジング２１の凹部２７ｍに係合する。レバー部材４１の第２カム部４３ｂは、相手ハウジング５３の第２被カム部５７における側壁面５５ｓに干渉するので挿入力を低減可能となる。
【００５２】
図５２乃至図５５は、コネクタ１１と相手コネクタ５１とが嵌合した状態においてレバー部材４１のフローティングの途中の状態を示している。レバー部材４１のフローティングが始まる状態では、第２カム部４３ｂと相手ハウジング５３の第２被カム部５７における側壁面５５ｒ，５５ｓとの干渉がなく、嵌合した状態でレバー部材４１のフローティングが始まる。
【００５３】
また、ベース部材３１のロックバー部３８は、相手ハウジング５３のロックバネ部５８の外側に位置しているのでロックバネ部５８の変位を妨げているため、コネクタ１１と相手コネクタ５１との嵌合が外れることを防止することが可能である。
【００５４】
図５６乃至図５９は、レバー部材４１のフローティングの最大変位時における状態を示している。レバー部材４１は、フローティングすることで嵌合方向Ａの各部品の組立による誤差を吸収可能なフローティング構造となる。
【００５５】
コネクタ１１と相手コネクタ５１とは、これらの嵌合が終了すると、ロックバネ部５８により嵌合ロックがかかり、フローティング途中もベース部材３１側のロックバー部３８によって嵌合ロックが解除されることを抑制することが可能となる。
【００５６】
図６０は、図１に示したベース部材３１を取り付けたコネクタ１１と、ユニット７１及び相手コネクタ５１を収容するモジュール９１とを示している。図６１は、図６０に示したベース部材３１を取り付けたコネクタ１１と、モジュール９１との組立状態を示している。
【００５７】
ベース部材３１の固定バネ部３７は、モジュール９１に形成されている係止穴９１ａに係止することによってコネクタ１１とモジュール９１とが固定される。
【００５８】
モジュール９１にユニット７１を取り付けた相手コネクタ５１は、図６２に示した嵌合する前の状態から、図６３に示すように、モジュール９１にユニット７１を取り付けた相手コネクタ５１を嵌合し、モジュール９１にベース部材３１を挿入した状態で相手コネクタ５１及びユニット７１を挿入して、相手コネクタ５１を嵌合させる。
【産業上の利用可能性】
【００５９】
本発明のコネクタ装置は、レバー部材の梃子の作用によってコネクタと相手コネクタとを嵌合して接続する用途において適用できる。
【図面の簡単な説明】
【００６０】
【図１】コネクタと、ユニットに実装した相手コネクタとを嵌合前の状態で示した斜視図である（実施例１）。
【図２】図１に示したコネクタと相手コネクタとの嵌合後の状態を示す斜視図である。
【図３】図１に示したケーブルを接続した状態のコネクタを平面から見た状態の斜視図である。
【図４】図３に示したケーブルを接続した状態のコネクタを裏面から見た状態の斜視図である。
【図５】図３に示したケーブルを接続した状態のコネクタを平面で断面して示した斜視図である。
【図６】図３に示したケーブルを接続した状態のコネクタのVI-VI線断面図である。
【図７】図１に示したコネクタの正面図である。
【図８】図７に示したコネクタの平面図である。
【図９】図７に示したコネクタの背面図である。
【図１０】図７に示したコネクタのX-X線断面図である。
【図１１】図７に示したコネクタの左側面図である。
【図１２】図１に示したベース部材の平面図である。
【図１３】図１２に示したベース部材の左側面図である。
【図１４】図１２に示したベース部材の平面図である。
【図１５】図１２に示したベース部材を一部を右側から見た状態の斜視図である。
【図１６】図１５に示したベース部材のXVI-XVI線断面、XVII-XVII線断面、及びXVIII-XVIII線断面の断面図である。
【図１７】図１に示したレバー部材の斜視図である。
【図１８】図１７に示したレバー部材の正面図である。
【図１９】図１８に示したレバー部材を左側から見た状態の側面図である。
【図２０】図１に示した相手コネクタと相手コネクタに取り付けた回路基板の一部とを示す斜視図である。
【図２１】図２０に示した相手コネクタと相手コネクタに取り付けた回路基板を右側から見た状態の斜視図である。
【図２２】図２０に示した相手コネクタの平面断面図である。
【図２３】図２０に示した相手コネクタのXXIII-XXIII線断面図である。
【図２４】図１に示した相手コネクタの正面図である。
【図２５】図２４に示した相手コネクタの平面図である。
【図２６】図２４に示した相手コネクタのXXVI-XXVI線断面図である。
【図２７】図１に示したベース部材を取り付けたコネクタの平面断面図、及びユニットの一部とユニットを取り付けた相手コネクタの平面断面図である。
【図２８】図２７に示したベース部材を取り付けたコネクタの縦断面図、及びユニットの一部とユニットを取り付けた相手コネクタの縦断面図である。
【図２９】図２７に示したベース部材を取り付けたコネクタの要部を拡大して示した斜視断面図、及びユニットの一部とユニットを取り付けた相手コネクタの要部を拡大して示した斜視断面図である。
【図３０】図２９に示したベース部材を取り付けたコネクタの要部を拡大して示した斜視断面図、及びユニットの一部とユニットを取り付けた相手コネクタの要部を拡大して示した斜視断面図である。
【図３１】図２７に示したベース部材を取り付けたコネクタと、ユニットの一部とユニットを取り付けた相手コネクタとの嵌合途中の状態を示す平面断面図である。
【図３２】図３１に示したベース部材を取り付けたコネクタと、ユニットの一部とユニットを取り付けた相手コネクタとの嵌合途中の状態を示す縦断面図である。
【図３３】図３１に示したベース部材を取り付けたコネクタの要部を拡大して示した斜視断面図と、ユニットの一部とユニットを取り付けた相手コネクタの要部を拡大して示した斜視断面図である。
【図３４】図３１に示したベース部材を取り付けたコネクタの要部を拡大して示した斜視断面図と、ユニットの一部とユニットを取り付けた相手コネクタの要部とを拡大して示した斜視断面図である。
【図３５】図３１に示したベース部材を取り付けたコネクタと、ユニットの一部とユニットを取り付けた相手コネクタとのさらに嵌合途中の状態を示す平面断面図である。
【図３６】図３５に示したベース部材を取り付けたコネクタと、ユニットの一部とユニットを取り付けた相手コネクタとのさらに嵌合途中の状態を示す縦断面図である。
【図３７】図３５に示したベース部材を取り付けたコネクタの要部を拡大して示した斜視断面図と、ユニットの一部とユニットを取り付けた相手コネクタの要部を拡大して示した斜視断面図である。
【図３８】図３６に示したベース部材と、相手コネクタとの要部を拡大して示した斜視断面図である。
【図３９】図３５に示したベース部材を取り付けたコネクタの要部を拡大して示した斜視断面図と、ユニットの一部とユニットを取り付けた相手コネクタの要部とを拡大して示した斜視断面図である。
【図４０】図３５に示したベース部材を取り付けたコネクタと、ユニットの一部とユニットを取り付けた相手コネクタとのさらに嵌合途中の状態を示す平面断面図である。
【図４１】図４０に示したベース部材と、相手コネクタとの要部を示した縦断面図である。
【図４２】図４０に示したベース部材と、相手コネクタとの要部を示した斜視断面図である。
【図４３】図４２に示したベース部材を取り付けたコネクタの要部を拡大して示した斜視断面図と、ユニットの一部とユニットを取り付けた相手コネクタの要部を拡大して示した斜視断面図である。
【図４４】図４０に示したベース部材を取り付けたコネクタと、ユニットの一部とユニットを取り付けた相手コネクタとの嵌合開始位置を示す平面断面図である。
【図４５】図４４に示したベース部材と、相手コネクタとの要部を示した縦断面図である。
【図４６】図４４に示したベース部材を取り付けたコネクタの要部を拡大して示した斜視断面図と、ユニットの一部と、ユニットを取り付けた相手コネクタとの要部を拡大して示した斜視断面図である。
【図４７】図４４に示したベース部材を取り付けたコネクタの要部を拡大して示した斜視断面図、ユニットの一部とユニットを取り付けた相手コネクタの要部を拡大して示した斜視断面図である。
【図４８】図４４に示したベース部材を取り付けたコネクタと、ユニットの一部とユニットを取り付けた相手コネクタとの嵌合完了時の状態を示す平面断面図である。
【図４９】図４８に示したベース部材を取り付けたコネクタと、ユニットの一部とユニットを取り付けた相手コネクタとの縦断面図である。
【図５０】図４８に示したベース部材を取り付けたコネクタの要部を拡大して示した斜視断面図と、ユニットの一部とユニットを取り付けた相手コネクタの要部を示した斜視断面図である。
【図５１】図４８に示したベース部材を取り付けたコネクタの要部を拡大して示した斜視断面図と、ユニットの一部とユニットを取り付けた相手コネクタの要部を拡大して示した斜視断面図である。
【図５２】図４８に示したベース部材を取り付けたコネクタと、ユニットの一部とユニットを取り付けた相手コネクタとのフローティング途中の状態を示す平面断面図である。
【図５３】図５２に示したベース部材を取り付けたコネクタと、ユニットの一部とユニットを取り付けた相手コネクタとのフローティング途中の状態を示す縦断面図である。
【図５４】図５２に示したベース部材を取り付けたコネクタの要部を拡大して示した斜視断面図と、ユニットの一部と、ユニットを取り付けた相手コネクタとの要部を示した斜視断面図である。
【図５５】図５４に示したベース部材を取り付けたコネクタの要部を拡大して示した斜視断面図と、ユニットの一部とユニットを取り付けた相手コネクタの要部を拡大して示した斜視断面図である。
【図５６】図５２に示したベース部材を取り付けたコネクタと、ユニットの一部とユニットを取り付けた相手コネクタとのフローティング完了時の状態を示す平面断面図である。
【図５７】図５６に示したベース部材を取り付けたコネクタと、ユニットの一部とユニットを取り付けた相手コネクタとの縦断面図である。
【図５８】図５６に示したベース部材を取り付けたコネクタの要部を拡大して示した斜視断面図と、ユニットの一部と、ユニットを取り付けた相手コネクタとの要部を示した斜視断面図である。
【図５９】図５８に示したベース部材を取り付けたコネクタの要部を拡大して示した斜視断面図と、ユニットの一部とユニットを取り付けた相手コネクタの要部を拡大して示した斜視断面図である。
【図６０】図１に示したベース部材を取り付けたコネクタと、モジュールとを示す斜視図である。
【図６１】図６０に示したベース部材を取り付けたコネクタと、モジュールとの組立状態を示す斜視図である。
【図６２】図６１に示したモジュールにユニットを取り付けた相手コネクタを嵌合する前の状態を示した斜視図である。
【図６３】図６１に示したモジュールにユニットを取り付けた相手コネクタを嵌合した状態を示す斜視断面図である。
【符号の説明】
【００６１】
１１    コネクタ
２１    ハウジング
２５ａ、２５ｂ    第１被カム部
２７ｇ    貫通穴
２７j    壁面
２７ｍ    凹部
３１    ベース部材
３３    フレーム部
３５    ベース部
３５ａ    第１位置決めバネ部
３６ａ    第２位置決めバネ部
３５ｂ    第１係合部
３６ｂ    第２係合部
３８    ロックバー部
３９ａ    軸部
４１    レバー部材
４３    第１レバー板部
４３ａ    第１カム部
４３ｂ    第２カム部
４５    第２レバー板部
４５ａ    軸部
５１    相手コネクタ
５３    相手ハウジング
５５ａ    相手嵌合部
５５ｆ    上板部
５５ｇ    下板部
５７    第２被カム部
５８    ロックバネ部
Ａ    嵌合方向
Ｂ    離脱方向
【図１】
2006344431.tif 000003
【図２】
2006344431.tif 000004
【図３】
2006344431.tif 000005
【図４】
2006344431.tif 000006
【図５】
2006344431.tif 000007
【図６】
2006344431.tif 000008
【図７】
2006344431.tif 000009
【図８】
2006344431.tif 000010
【図９】
2006344431.tif 000011
【図１０】
2006344431.tif 000012
【図１１】
2006344431.tif 000013
【図１２】
2006344431.tif 000014
【図１３】
2006344431.tif 000015
【図１４】
2006344431.tif 000016
【図１５】
2006344431.tif 000017
【図１６】
2006344431.tif 000018
【図１７】
2006344431.tif 000019
【図１８】
2006344431.tif 000020
【図１９】
2006344431.tif 000021
【図２０】
2006344431.tif 000022
【図２１】
2006344431.tif 000023
【図２２】
2006344431.tif 000024
【図２３】
2006344431.tif 000025
【図２４】
2006344431.tif 000026
【図２５】
2006344431.tif 000027
【図２６】
2006344431.tif 000028
【図２７】
2006344431.tif 000029
【図２８】
2006344431.tif 000030
【図２９】
2006344431.tif 000031
【図３０】
2006344431.tif 000032
【図３１】
2006344431.tif 000033
【図３２】
2006344431.tif 000034
【図３３】
2006344431.tif 000035
【図３４】
2006344431.tif 000036
【図３５】
2006344431.tif 000037
【図３６】
2006344431.tif 000038
【図３７】
2006344431.tif 000039
【図３８】
2006344431.tif 000040
【図３９】
2006344431.tif 000041
【図４０】
2006344431.tif 000042
【図４１】
2006344431.tif 000043
【図４２】
2006344431.tif 000044
【図４３】
2006344431.tif 000045
【図４４】
2006344431.tif 000046
【図４５】
2006344431.tif 000047
【図４６】
2006344431.tif 000048
【図４７】
2006344431.tif 000049
【図４８】
2006344431.tif 000050
【図４９】
2006344431.tif 000051
【図５０】
2006344431.tif 000052
【図５１】
2006344431.tif 000053
【図５２】
2006344431.tif 000054
【図５３】
2006344431.tif 000055
【図５４】
2006344431.tif 000056
【図５５】
2006344431.tif 000057
【図５６】
2006344431.tif 000058
【図５７】
2006344431.tif 000059
【図５８】
2006344431.tif 000060
【図５９】
2006344431.tif 000061
【図６０】
2006344431.tif 000062
【図６１】
2006344431.tif 000063
【図６２】
2006344431.tif 000064
【図６３】
2006344431.tif 000065